(57)【要約】【課題】  複数のフォーマットの画像情報が合成された画像信号や、複数のコンテンツの画像情報が合成された画像信号を、様々な表示形態としたり画像内容を変更するには、各画像情報別に独立して画像の拡大縮小処理や表示位相を制御する必要がある。【解決手段】  分割部１２は２つのコンテンツの画像が合成された入力画像信号を、各コンテンツ別の画像信号に分割する。縮小部１３及び１４は、各コンテンツの画像信号を、互いに独立して水平方向又は垂直方向に縮小処理してメモリ１５に書き込む。拡大部１６及び１７は、メモリ１５から読み出した各コンテンツの画像信号を、互いに独立して水平方向又は垂直方向に拡大処理する。合成部１８は拡大部１６及び１７からの画像信号を選択又は合成して１系統の画像信号を生成して出力する。これにより、様々な表示形態の画像信号を出力することができる。【選択図】            図１
2005184125.tif 000002
【特許請求の範囲】
【請求項１】
同一若しくは異なるＮ個（Ｎは２以上の整数）のフォーマットの画像情報が予め合成された一系統の画像信号を入力信号として受け、その入力画像信号の各フォーマットの画像情報別に拡大処理又は縮小処理してから合成した画像信号を出力する画像処理回路であって、
前記入力画像信号から前記Ｎ個のフォーマットの画像情報を各フォーマットの画像情報別に分割する分割手段と、
前記分割手段により分割された前記各フォーマットの画像情報別に互いに独立して縮小処理するＮ個の縮小手段と、
前記Ｎ個の縮小手段から出力されたＮ個の画像信号を蓄積する記憶手段と、
前記記憶手段から蓄積された前記Ｎ個の画像信号を読み出し、そのＮ個の画像信号に対して互いに独立して拡大処理するＮ個の拡大手段と、
前記Ｎ個の拡大手段から出力されたＮ個の画像信号を選択・合成して、一系統の画像信号を出力する合成手段と
を有し、前記縮小手段及び拡大手段の少なくともいずれか一方を動作させて、各フォーマットの画像情報別に拡大処理又は縮小処理してから合成した画像信号を出力することを特徴とする画像処理回路。
【請求項２】
同一若しくは異なるＮ個（Ｎは２以上の整数）のフォーマットの画像情報が予め合成された一系統の第１の画像信号と、合成されていない少なくとも一以上の第２の画像信号とを入力信号として受け、前記第１及び第２の画像信号を拡大処理又は縮小処理してから合成した画像信号を出力する画像処理回路であって、
前記第１の画像信号から各フォーマットの画像情報別に分割する分割手段と、
前記分割手段により分割された前記各フォーマットの画像情報別に互いに独立して縮小処理するＮ個の第１の縮小手段と、
前記第２の画像信号を、前記第１の縮小手段の縮小処理とは独立して縮小処理する少なくとも一以上の第２の縮小手段と、
前記第１及び第２の縮小手段からそれぞれ出力された画像信号を蓄積する記憶手段と、
前記記憶手段に蓄積された前記第１の縮小手段からのＮ個の画像信号を前記記憶手段から読み出し、そのＮ個の画像信号に対して互いに独立して拡大処理するＮ個の第１の拡大手段と、
前記記憶手段に蓄積された前記第２の縮小手段からの少なくとも一以上の画像信号を前記記憶手段から読み出し、その画像信号に対して前記第１の拡大手段による拡大処理とは互いに独立して拡大処理する少なくとも一以上の第２の拡大手段と、
前記第１及び第２の拡大手段から出力された各画像信号を選択・合成して、一系統の画像信号を出力する合成手段と
を有し、前記第１及び第２の縮小手段と前記第１及び第２の拡大手段の少なくともいずれか一方を動作させて、各画像情報別に拡大処理又は縮小処理してから合成した画像信号を出力することを特徴とする画像処理回路。
【発明の詳細な説明】
【技術分野】
【０００１】
本発明は画像処理回路に係り、特にテレビジョン信号やパソコン信号などの各種画像信号を表示するディスプレイ装置やテレビジョン装置に用い、任意にアスペクト比を変換するための画像処理を行う画像処理回路に関する。
【背景技術】
【０００２】
従来の地上波のアナログ放送方式では、一つのチャンネルで一つの番組を放送しているため、単一の受信装置から送出される受信信号は１種類のフォーマットのみであり、１系統の画像処理があれば、画質改善、解像度変換、画像の拡大・縮小などの画像処理を行うことができた。例えば、単一の受信装置において、ＳＤＴＶのアスペクト比４：３の受信画像信号をＨＤＴＶのアスペクト比１６：９の画像信号に変換するようなアスペクト比変換を実現するためには、画像を拡大・縮小するための画像処理回路が必要となる。
【０００３】
そのため、例えば入力画素データを４相に展開して４つのランダムアクセス可能なメモリにそれぞれ書き込み、拡大縮小率に応じて４つのメモリから画素データを読み出し、その読み出しパターンに応じて補間係数を並び替えて、これらの補間係数と４つの画素データを用いて４タップの補間フィルタで補間データを作成する構成の画像処理回路が従来より知られている（例えば、特許文献１参照）。
【０００４】
しかし、ＢＳデジタル放送や近々開始される地上波デジタル放送では、一度に多くの情報を送ることができるため、図１０に示すように、一つのチャンネルで、ある時間帯ではハイビジョン放送（ＨＤＴＶ）とデータ放送と携帯向け放送とを同時に送信し、次の時間帯では２種類の標準画質放送とデータ放送と携帯向け放送とを同時に送信し、更に次の時間帯ではハイビジョン放送（ＨＤＴＶ）とデータ放送と携帯向け放送とを同時に送信するなどのように、一つのチャンネルで複数の番組を放送することができる。このため、これまでのアナログ放送では考えられなかった、アイデア豊かな多様な放送が期待されている。
【０００５】
【特許文献１】特開２００３-４６９０５号公報
【発明の開示】
【発明が解決しようとする課題】
【０００６】
以上の背景を考慮すると、少なくとも２つ以上のコンテンツが合成された画像、あるいは異なるフォーマットの画像が、受信装置でデコードされて送出するケースが考えられる。例えば、図１１（ａ）〜（ｄ）に示すような、一つのチャンネルで予め合成された複数の映像信号が単一の受信装置内の画像処理回路に入力される。
【０００７】
ここで、図６（ａ）は二つの画像１ａ及び１ｂが水平方向に合成された画像であり、同図（ｂ）は二つの画像２ａ及び２ｂが垂直方向に合成された画像であり、同図（ｃ）は三つの画像３ａ、３ｂ及び３ｃが水平方向に合成された画像であり、同図（ｄ）は三つの画像４ａ、４ｂ及び４ｃが垂直方向に合成された画像である。なお、図６（ａ）〜（ｄ）は空間的に合成された画像を示しているが、入力画像信号にはライン毎、フィールド毎に時間的に合成した画像も考えられる。
【０００８】
このとき、合成された複数の画像が各々異なるフォーマット（例：１１２５ｉと５２５ｉ）のときは、表示する拡大縮小率が異なるために、各々独立して画像の拡大縮小処理や表示位相を制御する必要がある。また、合成された複数の画像が同じフォーマット（例：すべて５２５ｉ）のときも、上記と同様に各画像毎に独立制御して表示する形態がある。
【０００９】
このような場合には、従来と同じ単一の処理系統では、どちらかのフォーマットに合わせた処理しかできない。また、従来は入力画像信号中の合成されている各々の画像を最適に処理するために、フォーマットあるいはコンテンツによって、画像処理内容を変えることができない。
【００１０】
本発明は以上の点に鑑みなされたもので、合成された入力画像を各々独立して拡大縮小による倍率や表示位相の制御が可能な画像処理回路を提供することを目的とする。
【００１１】
また、本発明の他の目的は、フォーマットあるいはコンテンツによって、合成された入力画像の画像処理内容を変更し得る画像処理回路を提供することにある。
【課題を解決するための手段】
【００１２】
上記の目的を達成するため、第１の発明は、同一若しくは異なるＮ個（Ｎは２以上の整数）のフォーマットの画像情報が予め合成された一系統の画像信号を入力信号として受け、その入力画像信号の各フォーマットの画像情報別に拡大処理又は縮小処理してから合成した画像信号を出力する画像処理回路であって、入力画像信号からＮ個のコンテンツ又はフォーマットの画像情報を各フォーマットの画像情報別に分割する分割手段と、分割手段により分割された各フォーマットの画像情報別に互いに独立して縮小処理するＮ個の縮小手段と、Ｎ個の縮小手段から出力されたＮ個の画像信号を蓄積する記憶手段と、記憶手段から蓄積されたＮ個の画像信号を読み出し、そのＮ個の画像信号に対して互いに独立して拡大処理するＮ個の拡大手段と、Ｎ個の拡大手段から出力されたＮ個の画像信号を選択・合成して、一系統の画像信号を出力する合成手段とを有し、縮小手段及び拡大手段の少なくともいずれか一方を動作させて、各フォーマットの画像情報別に拡大処理又は縮小処理してから合成した画像信号を出力することを特徴とする。
【００１３】
この発明では、同一若しくは異なるＮ個のフォーマットの画像情報が予め合成された一系統の画像信号を入力信号として受け、その入力画像信号の各コンテンツ又は各フォーマットの画像情報を独立した画像信号として取り扱って、拡大処理又は縮小処理してから合成した画像信号を出力することができる。
【００１４】
また、上記の目的を達成するため、第２の発明は、同一若しくは異なるＮ個（Ｎは２以上の整数）のフォーマットの画像情報が予め合成された一系統の第１の画像信号と、合成されていない少なくとも一以上の第２の画像信号とを入力信号として受け、第１及び第２の画像信号を拡大処理又は縮小処理してから合成した画像信号を出力する画像処理回路であって、第１の画像信号から各フォーマットの画像情報別に分割する分割手段と、分割手段により分割された各フォーマットの画像情報別に互いに独立して縮小処理するＮ個の第１の縮小手段と、第２の画像信号を、第１の縮小手段の縮小処理とは独立して縮小処理する少なくとも一以上の第２の縮小手段と、第１及び第２の縮小手段からそれぞれ出力された画像信号を蓄積する記憶手段と、記憶手段に蓄積された第１の縮小手段からのＮ個の画像信号を記憶手段から読み出し、そのＮ個の画像信号に対して互いに独立して拡大処理するＮ個の第１の拡大手段と、記憶手段に蓄積された第２の縮小手段からの少なくとも一以上の画像信号を記憶手段から読み出し、その画像信号に対して第１の拡大手段による拡大処理とは互いに独立して拡大処理する少なくとも一以上の第２の拡大手段と、第１及び第２の拡大手段から出力された各画像信号を選択・合成して、一系統の画像信号を出力する合成手段とを有し、第１及び第２の縮小手段と第１及び第２の拡大手段の少なくともいずれか一方を動作させて、各画像情報別に拡大処理又は縮小処理してから合成した画像信号を出力することを特徴とする。
【００１５】
この発明では、同一若しくは異なるＮ個のフォーマットの画像情報が予め合成された一系統の第１の画像信号と、合成されていない少なくとも一以上の第２の画像信号とを入力信号として受け、入力された第１の画像信号の各フォーマットの画像情報と第２の画像信号の画像情報とを独立した画像信号として取り扱って、拡大処理又は縮小処理してから合成した画像信号を出力することができる。
【発明の効果】
【００１６】
本発明によれば、同一若しくは異なるＮ個（Ｎは２以上の整数）のフォーマットの画像情報が予め合成された一系統の画像信号を入力として受け、入力された画像信号の各フォーマットの画像情報を独立した画像信号として取り扱って、拡大処理又は縮小処理してから合成した画像信号を出力するようにしたため、拡大縮小による倍率や表示位相の制御ができ、入力画像信号が異なるフォーマットの画像情報が合成されている画像信号であっても様々な表示形態の画像信号を出力することができ、またフォーマットによって、合成された入力画像の画像処理内容を変更することができる。
【００１７】
また、本発明によれば、合成されていない少なくとも一以上の別の画像信号を、同一若しくは異なるＮ個のフォーマットの画像情報が予め合成された一系統の画像信号と共に入力信号として受け、これらの画像信号について互いに独立して拡大処理又は縮小処理するようにしたため、拡大縮小による倍率や表示位相の制御ができ、各種の入力画像信号に対して様々な表示形態の画像信号を出力することができ、またフォーマットによって、合成された入力画像の画像処理内容を変更することができる。
【００１８】
更に、本発明によれば、入力された画像信号の各フォーマットの画像情報や、合成されていない少なくとも一以上の別の画像信号を互いに独立した画像信号として取り扱っているため、個別に解像度変換や画質補正ができ、これによりフォーマットによって最適な補正が可能である。
【発明を実施するための最良の形態】
【００１９】
次に、本発明を実施するための最良の形態について図面と共に説明する。図１は本発明になる画像処理回路の第１の実施の形態のブロック図を示す。この実施の形態は、２つのコンテンツの画像情報が合成された画像信号が１系統入力される場合の例で、入力端子１１には２つのコンテンツの各画像情報が図１１（ａ）に示すように左右２画面、又は同図（ｂ）に示すように上下２画面の画像信号が入力され、分割部１２により各画面（各コンテンツ）の画像信号に分割される。なお、ここでは、２つのコンテンツの画像情報が合成された画像信号について説明するが、同一又は異なる２つのフォーマットの画像情報が合成された画像信号であってもよい。
【００２０】
これら分割された画像信号は、縮小部１３及び１４に別々に供給され、互いに独立して水平方向又は垂直方向の縮小処理が行われる（なお、後述するように、縮小処理が行われない場合もある。）。この縮小部１３及び１４の構成は、例えば、本発明者が特開２００３−４６９０５にて開示した図２のブロック図に示すような映像信号処理装置の縮小拡大部を用い得る。
【００２１】
図２において、縮小拡大部は、入力画像データがそれぞれ供給される、並列に設けられた４つのランダム・アクセス・メモリ（ＲＡＭ）２０、２１、２２及び２３と、ＲＡＭ２０〜２３の出力画像データに基づいて、補間データを作成して出力する補間フィルタ２４と、ＲＡＭ２０〜２３に対する入力画像データへの書き込みを制御するデータ書き込み制御部２５と、ＲＡＭ２０〜２３からの画像データの読み出しアドレスを制御するアドレス選択制御部２６と、補間フィルタ２４における拡大あるいは縮小の補間のために必要な補間係数を発生する係数発生部２７と、係数発生部２７で発生された補間係数を、４タップの補間フィルタ２４の各タップに供給する係数選択制御部２８とより構成されている。
【００２２】
かかる構成の縮小部１３、１４により入力分割画像データを縮小処理する場合、上記のＲＡＭ２０〜２３に対して、図３（Ａ）に示す水平方向又は垂直方向の１画素データ毎に順次巡回的に書き込み、ＲＡＭ２０〜２３のうち、どのＲＡＭから画素データの読み出しを開始するかを決定するための開始メモリ決定データと、読み出しを開始するＲＡＭにおけるデータを読み出すアドレスを決定するためのアドレス決定データとを用いて、ＲＡＭ２０〜２３から読み出した各画素データを時系列的に合成して４画素単位のデータを読み出して補間フィルタ２４に供給し、この補間フィルタ２４において係数選択制御部２８からの開始メモリ決定データに応じて並び替えられた４個の補間係数を用いて４画素単位のデータに対して補間を行って、例えば図３（Ｂ）に示す出力データを出力する。この出力データは１画面の画素数が入力画像信号のそれよりも少ない縮小データである。
【００２３】
ここで、図３（Ａ）に示す入力分割画像信号の水平方向又は垂直方向の画素データのデータ間隔を「３２」とすると、縮小部１３、１４は同図（Ｂ）に示すように例えばデータ間隔が「４４」である水平方向又は垂直方向の画素データを、周辺の４画素から間引くように補間して出力する。上記の入力データ間隔「３２」に対する出力データ間隔は、縮小率に応じて定まる。
【００２４】
再び図１に戻って説明するに、縮小部１３及び１４により互いに独立して縮小処理された分割画像データは、メモリ１５に供給されて書き込まれる。本実施の形態では、通常は縮小処理及び拡大処理のうち、表示の形態に合わせて、必要に応じて適宜選択した一方の処理のみを行うため、メモリ１５に縮小処理された２つの分割画像データが書き込まれたときには、拡大部１６及び１７による拡大処理は行われず、メモリ１５から並列に読み出された縮小処理された２つの分割画像データは、拡大部１６及び１７をスルーして合成部１８に供給され、ここでいずれかの分割画像データを選択、あるいは合成して出力端子１９へ出力する。
【００２５】
なお、拡大処理する場合は、分割部１２により２分割された画像信号は、縮小部１３、１４をスルーしてメモリ１５に供給されて書き込まれた後、拡大部１６及び１７に分割画像信号別に供給され、互いに独立して拡大処理される。拡大部１６及び１７は、例えば、図３のブロック図に示した構成であり、垂直方向の拡大処理を行う場合は、メモリ１５の読み出しタイミングを制御しながら、補間に必要なラインの画像データを読み出して図３のＲＡＭ２０〜２３に書き込み、そのデータを使って補間フィルタ２４により補間ラインの画素データを生成し、垂直方向に拡大された画素データを出力する。
【００２６】
水平方向の拡大処理をする場合は、メモリ１５の読み出しタイミングを制御しながら、上記の処理で生成した補間ラインのデータをＲＡＭ２０〜２３に蓄積し、そのＲＡＭ２０〜２３から必要な補間画素のデータを読み出して水平方向に拡大された画素データを出力する。図３の構成の場合、拡大処理を行うか縮小処理を行うかは、アドレス制御データにより定まる。
【００２７】
上記の拡大処理について更に説明するに、拡大部１６、１７に供給される分割画像信号の水平方向又は垂直方向の画素データのデータ間隔を、図４（Ａ）に示すように「３２」とすると、拡大部１６、１７は同図（Ｂ）に示すように、例えばデータ間隔が「２０」である水平方向又は垂直方向の画素データを、周辺の４画素から補間して出力する。上記の入力データ間隔「３２」に対する出力データ間隔は、拡大率に応じて定まる。拡大部１６及び１７で互いに独立して拡大処理された分割画像データは、図１の合成部１８に供給され、ここでいずれかの分割画像データを選択、あるいは合成して出力される。
【００２８】
このようにして、本実施の形態によれば、合成された入力画像を各々独立して拡大縮小による倍率や表示位相の制御ができ、また、フォーマットあるいはコンテンツによって、合成された入力画像の画像処理内容を変更することができる。
【００２９】
次に、本発明の第２の実施の形態について説明する。図５は本発明になる画像処理回路の第２の実施の形態のブロック図を示す。この実施の形態は、２つのコンテンツが合成された信号が１系統入力される場合の例で、入力端子３１には２つのコンテンツの各画像が図１１（ａ）に示すように左右２画面、又は同図（ｂ）に示すように上下２画面の画像信号が入力され、メモリ３２に供給されて書き込まれる。
【００３０】
メモリ３２に書き込まれた画像信号は、左右２画面、垂直２画面のいずれの場合も画面毎に各々独立して読み出され、各画面の画像信号は、拡大縮小部３３及び３４に画面別に供給される。拡大縮小部３３及び３４は、例えば図３のブロック図に示したような構成により、前述したような垂直方向又は水平方向の縮小処理又は拡大処理を行う。
【００３１】
拡大縮小部３３及び３４により、互いに独立して縮小処理又は拡大処理された２つの分割画像データは合成部３５に供給され、ここでいずれかの分割画像データを選択、あるいは合成して出力端子３６へ出力する。このように、本実施の形態では、第１の実施の形態における分割部１２の機能をメモリ３２が有している。
【００３２】
次に、本発明の第３の実施の形態について説明する。図６は本発明になる画像処理回路の第３の実施の形態のブロック図を示す。同図中、図１又は図５と同一構成部分には同一符号を付し、その説明を省略する。図６に示す第３の実施の形態も、第１及び第２の実施の形態と同様に、２つのコンテンツが合成された信号が１系統入力される場合の例で、第１の実施の形態と第２の実施の形態とを組み合わせた構成である。
【００３３】
すなわち、図６に示すように、第３の実施の形態では、第１の実施の形態と同様に、入力端子１１に入力された２画面合成の画像信号が、分割部１２により各画面の画像信号に２分割され、２分割された一方の分割画像信号が、第１の実施の形態と同様に縮小部１４に供給されるが、他方の分割画像信号は、メモリ３８に書き込まれる。
【００３４】
縮小部１４により水平方向又は垂直方向の縮小処理が行われた分割画像信号は、メモリ３８に書き込まれる。メモリ３８は、分割部１２から供給された一方の分割画像信号は、拡大縮小部３３に供給し、縮小部１４から供給された他方の分割画像信号は、拡大部１７に供給する。縮小処理を行う場合は、縮小部１４と拡大縮小部３３とで、互いに独立して前述したような垂直方向又は水平方向の縮小処理を行う。このとき、拡大部１７は拡大書を行わず、入力分割画像データをそのまま出力する。
【００３５】
拡大処理を行う場合は、縮小部１４では処理を行わず、入力分割画像信号をそのままメモリ３８に書き込み、拡大縮小部３３と拡大部１７とで互いに独立して前述したような垂直方向又は水平方向の拡大処理を行う。拡大縮小部３３と拡大部１７から取り出された各画像データは、合成部１８に供給される。
【００３６】
次に、本発明の第４の実施の形態について説明する。図７は本発明になる画像処理回路の第４の実施の形態のブロック図を示す。同図中、図１と同一構成部分には同一符号を付し、その説明を省略する。図７において、入力端子４１には、入力端子１１に入力される図１１（ａ）又は（ｂ）に示したような２画面合成の画像信号とは別系統の通常の１画面の画像信号が入力されて縮小部４２に供給される。
【００３７】
縮小部４２は、図３のブロック図に示したような構成により、縮小処理を行う場合は入力画像信号に対して縮小処理を行ってメモリ４３に供給し、拡大処理を行う場合は何も処理をせず、入力画像信号をそのままメモリ４３に供給する。メモリ４３は、縮小部１３、１４及び４２から出力された画像信号をそれぞれ一時保持した後、対応する拡大部１６、１７及び４８に出力する。
【００３８】
縮小処理を行う場合は、拡大部１６、１７及び４８は何も処理をせず、入力画像信号をそのまま合成部４５へ出力するが、拡大処理を行う場合は、図３のブロック図に示した構成により、前述した方法により拡大処理を行って、拡大処理された画像データを合成部４５に供給する。拡大部４８は、入力端子４１に入力された画像信号に対する拡大処理を、拡大部１６及び１７と同期して、かつ、互いに独立して行う。拡大部１６、１７及び４８から出力された、縮小処理又は拡大処理された画像データは合成部４５に供給され、ここでいずれかの画像データを選択、あるいは合成されて出力端子４６へ出力される。
【００３９】
次に、本発明の第５の実施の形態について説明する。図８は本発明になる画像処理回路の第５の実施の形態のブロック図を示す。図８の実施の形態は、３つのコンテンツが合成された信号が１系統入力される場合の例で、入力端子５１には３つのコンテンツの各画像が図１１（ｃ）に示すように左右３画面、又は同図（ｄ）に示すように上下３画面の画像信号が入力され、分割部５２により各画面の画像信号に分割される。
【００４０】
これら分割された画像信号は、縮小部５３、５４及び５５に別々に供給され、互いに独立して垂直方向又は水平方向の縮小処理が行われるか、縮小処理されずにそのまま出力される。縮小部５３、５４及び５５から出力された各画像データは、メモリ５６に供給されて一時保持された後、拡大部５７、５８及び５９に各分割画面の画像データ毎に供給される。縮小処理される場合は、拡大部５７、５８及び５９での拡大処理は行われないが、拡大処理される場合は、縮小部５３、５４及び５５で縮小処理されていない各分割画面の画像データに対して、図３のブロック図に示したような構成により前述した垂直方向又は水平方向の拡大処理が、互いに独立して行われる。
【００４１】
拡大部５７、５８及び５９から出力された各分割画面の縮小処理又は拡大処理された画像データは合成部６０に供給され、ここで、いずれかの画像データを選択、あるいは合成されて出力端子６１へ出力される。本実施の形態は、第１の実施の形態の入力画像信号が２つのコンテンツが合成された信号であるのに対し、３つのコンテンツが合成された信号が１系統入力される点が相違するだけで、基本的な構成は第１の実施の形態と同様である。
【００４２】
これにより、本実施の形態によれば、図１１（ｃ）又は（ｄ）に示すような３画面の画像信号が入力された場合、図９（ａ）に示すように、３つの画像６５ａ、６５ｂ及び６５ｃが合成されたような出力画像信号が出力される。また、図９（ｂ）に示すように、入力画像に対応した縮小画像６６ａ、６６ｂ及び６６ｃに、番組情報６６ｄが加算合成された画像信号の出力も可能である。
【００４３】
なお、本発明は以上の実施の形態に限定されるものではなく、例えば、分割部１２、５２を設けず、縮小部１２及び１３、５３〜５５が各々左右又は上下の各画面の画像のみを取り込み、水平方向又は垂直方向の縮小処理を行うようにしてもよい。また、図１において、合成部１８と共に、拡大部１６及び１７の各出力信号を合成するもう一つの合成部を併設してもよい。
【００４４】
また、４以上のコンテンツ又はフォーマットの画像情報が合成された入力画像信号に対しても同様に、各コンテンツ毎又は各フォーマット毎に独立して拡大又は縮小処理して得られた画像信号を得ることができる。また、上記の実施の形態では、拡大処理と縮小処理のいずれか一方のみを行うように説明したが、両方同時に処理することも可能である。また、各実施の形態のメモリ、縮小部、拡大部の前後に、フレームレート変換や解像度変換などの画像処理部を設けてもよい。また、縮小部、拡大部による補間は、４タップ以外の構成でもよい。
【図面の簡単な説明】
【００４５】
【図１】本発明の第１の実施の形態のブロック図である。
【図２】本発明者が先に開示した縮小部及び拡大部の一例のブロック図である。
【図３】縮小処理の一例の説明図である。
【図４】拡大処理の一例の説明図である。
【図５】本発明の第２の実施の形態のブロック図である。
【図６】本発明の第３の実施の形態のブロック図である。
【図７】本発明の第４の実施の形態のブロック図である。
【図８】本発明の第５の実施の形態のブロック図である。
【図９】本発明による出力画像の各例を示す図である。
【図１０】一つのチャンネルで伝送される複数の情報の例を示す図である。
【図１１】入力画像の各例を示す図である。
【符号の説明】
【００４６】
１１、３１、４１、５１  画像信号入力端子
１２、５２  分割部
１３、１４、４２、５３、５４、５５  縮小部
１５、３２、３８、４３、５６  メモリ
１６、１７、４４、５７、５８、５９  拡大部
１８、３５、４５、６０  合成部
１９、３６、４６、６１  画像信号出力端子
２０〜２３  ランダム・アクセス・メモリ（ＲＡＭ）
２４  補間フィルタ
２５  データ書き込み制御部
２６  アドレス選択制御部
２７  係数発生部
２８  係数選択制御部
３３、３４  拡大縮小部
【図１】
2005184125.tif 000003
【図２】
2005184125.tif 000004
【図３】
2005184125.tif 000005
【図４】
2005184125.tif 000006
【図５】
2005184125.tif 000007
【図６】
2005184125.tif 000008
【図７】
2005184125.tif 000009
【図８】
2005184125.tif 000010
【図９】
2005184125.tif 000011
【図１０】
2005184125.tif 000012
【図１１】
2005184125.tif 000013